(57)【特許請求の範囲】
【請求項１】
原稿を読み取って画像データを生成する読取手段と、
前記読取手段で読み取った画像データを圧縮アルゴリズムによる圧縮処理を行う圧縮処理手段と、
前記圧縮処理手段で行った圧縮アルゴリズムによる圧縮処理に用いられた圧縮パラメータ、および該圧縮アルゴリズムにより圧縮処理された画像データの圧縮ファイルサイズを収集するパラメータ収集手段と、
前記パラメータ収集手段で収集した圧縮パラメータおよび圧縮ファイルサイズを蓄積するパラメータ蓄積手段と、
前記パラメータ蓄積手段に前記パラメータ収集手段で収集した圧縮パラメータおよび圧縮ファイルサイズが蓄積されるごとに、圧縮パラメータと圧縮ファイルサイズとの統計データを算出するとともに、前記読取手段で読み取る原稿サイズと圧縮処理に用いる圧縮パラメータとが指定された際に、前記統計データに基づいて、前記指定された圧縮パラメータにより圧縮される画像データの圧縮ファイルサイズを予測するサイズ予測手段と、
前記サイズ予測手段で予測した圧縮ファイルサイズを表示する表示手段と
を具備することを特徴とする画像読取装置。
【請求項２】
前記圧縮処理手段が複数の圧縮アルゴリズムによる圧縮処理を行う場合、
前記パラメータ収集手段は、前記圧縮処理手段で行う前記圧縮アルゴリズム毎に前記圧縮パラメータおよび前記圧縮ファイルサイズを収集して前記パラメータ蓄積手段に蓄積し、
前記サイズ予測手段は、前記圧縮アルゴリズム毎に前記統計データを算出し、該圧縮アルゴリズム毎に画像データの圧縮ファイルサイズを予測し、
前記表示手段は、前記サイズ予測手段が予測した全ての圧縮ファイルサイズを表示する
ことを特徴とする請求項１記載の画像読取装置。
【請求項３】
前記統計データに基づいて、予め指定された指定サイズに前記画像データの圧縮ファイルサイズが収まるように、前記読取手段で原稿を読み取る際の解像度と前記圧縮処理手段が圧縮処理を行う圧縮アルゴリズムとを決定するサイズ指定手段を更に具備することを特徴とする請求項２記載の画像読取装置。
【請求項４】
ネットワークと接続するネットワーク接続手段と、
通信インターフェースと接続する通信インターフェース接続手段と、
前記統計データに基づいて、予め指定された前記画像データの転送先に応じた指定サイズに前記画像データの圧縮ファイルサイズが収まるように、前記読取手段で原稿を読み取る際の解像度と前記圧縮処理手段が圧縮処理を行う圧縮アルゴリズムとを決定するサイズ指定手段と
を更に具備することを特徴とする請求項２記載の画像読取装置。
【請求項５】
前記サイズ指定手段は、前記画像データを電子メールに添付して前記ネットワークに接続する通信端末に送信する場合、該電子メールに添付可能なサイズを前記指定サイズとすることを特徴とする請求項４記載の画像読取装置。
【請求項６】
前記画像データを前記通信インターフェースを介して接続する記憶メディアの記憶容量の残量を確認する残量確認手段を更に具備し、
前記サイズ指定手段は、前記画像データを前記記憶メディアに転送する場合、前記残量確認手段で確認した残量内のサイズを前記指定サイズとする
ことを特徴とする請求項４記載の画像読取装置。
【請求項７】
読取手段で原稿を読み取って画像データを生成し、
前記読取手段で読み取った画像データを圧縮アルゴリズムによる圧縮処理を圧縮処理手段で行い、
前記圧縮処理手段で行った圧縮アルゴリズムによる圧縮処理に用いられた圧縮パラメータ、および該圧縮アルゴリズムにより圧縮処理された画像データの圧縮ファイルサイズをパラメータ収集手段で収集し、
前記パラメータ収集手段で収集した圧縮パラメータおよび圧縮ファイルサイズをパラメータ蓄積手段に蓄積し、
前記パラメータ蓄積手段に前記パラメータ収集手段で収集した圧縮パラメータおよび圧縮ファイルサイズが蓄積されるごとに、圧縮パラメータと圧縮ファイルサイズとの統計データをサイズ予測手段で算出するとともに、前記読取手段で読み取る原稿サイズと圧縮処理に用いる圧縮パラメータとが指定された際に、前記統計データに基づいて、前記指定された圧縮パラメータにより圧縮される画像データの圧縮ファイルサイズを前記サイズ予測手段で予測し、
前記サイズ予測手段で予測した圧縮ファイルサイズを表示手段で表示する
ことを特徴とする画像読取装置のサイズ予測方法。
【請求項８】
前記圧縮処理手段が複数の圧縮アルゴリズムによる圧縮処理を行う場合、
前記パラメータ収集手段は、前記圧縮処理手段で行う前記圧縮アルゴリズム毎に前記圧縮パラメータおよび前記圧縮ファイルサイズを収集して前記パラメータ蓄積手段に蓄積し、
前記サイズ予測手段は、前記圧縮アルゴリズム毎に前記統計データを算出し、該圧縮アルゴリズム毎に画像データの圧縮ファイルサイズを予測し、
前記表示手段は、前記サイズ予測手段が予測した全ての圧縮ファイルサイズを表示する
ことを特徴とする請求項７記載の画像読取装置のサイズ予測方法。
【請求項９】
前記統計データに基づいて、予め指定された指定サイズに前記画像データの圧縮ファイルサイズが収まるように、前記読取手段で原稿を読み取る際の解像度と前記圧縮処理手段が圧縮処理を行う圧縮アルゴリズムとをサイズ指定手段で決定することを特徴とする請求項８記載の画像読取装置のサイズ予測方法。
【請求項１０】
ネットワークとネットワーク接続手段で接続し、
通信インターフェースと通信インターフェース接続手段で接続し、
前記統計データに基づいて、予め指定された前記画像データの転送先に応じた指定サイズに前記画像データの圧縮ファイルサイズが収まるように、前記読取手段で原稿を読み取る際の解像度と前記圧縮処理手段が圧縮処理を行う圧縮アルゴリズムとをサイズ指定手段で決定する
ことを特徴とする請求項８記載の画像読取装置のサイズ予測方法。
【請求項１１】
前記サイズ指定手段は、前記画像データを電子メールに添付して前記ネットワークに接続する通信端末に送信する場合、該電子メールに添付可能なサイズを前記指定サイズとすることを特徴とする請求項１０記載の画像読取装置のサイズ予測方法。
【請求項１２】
前記画像データを前記通信インターフェースを介して接続する記憶メディアの記憶容量の残量を残量確認手段で確認し、
前記サイズ指定手段は、前記画像データを前記記憶メディアに転送する場合、前記残量確認手段で確認した残量内のサイズを前記指定サイズとする
ことを特徴とする請求項１０記載の画像読取装置のサイズ予測方法。
【発明の詳細な説明】
【技術分野】
【０００１】
本発明は、画像読取装置およびそのサイズ予測方法に関し、特に、原稿をスキャンインして画像データを生成する画像読取装置およびそのサイズ予測方法に関する。
【背景技術】
【０００２】
近年、スキャナ等の画像読取装置でスキャンインして画像データを生成する際に、ユーザは事前に画像データのサイズが分からないため、解像度を上げ過ぎて膨大なサイズの画像データが生成されることや、逆に、解像度を落とし過ぎて低画質の画像データが生成されることになる。そのため、ユーザは何度かスキャンインを行って画像データを生成し、所望するサイズになるまで、ユーザはスキャンインを繰り返す必要があり、ユーザにとって非常に使い勝手が悪かった。
【０００３】
また、スキャンインした画像データを電子メールに添付して送信するＳｃａｎ  ｔｏ  Ｅ−ｍａｉｌの際に、画像データが数百ＭＢのサイズの画像データを作成したことをユーザが気付かず、そのまま電子メールを送信することで、ネットワークに多大な負荷をかけてしまうという問題もあった。
【０００４】
そこで、上記の問題点を解決するため、例えば、原稿を読み込めるメモリサイズが不足していた場合、解像度や読み取りサイズを調整して利用目的に合致したイメージデータの処理ができるオフィス・オートメーション・システムがある（例えば、特許文献１参照。）。
【特許文献１】特開平８−２９３９４６号公報
【発明の開示】
【発明が解決しようとする課題】
【０００５】
しかし、特許文献１に記載の技術おいて、予測するサイズは、解像度および読み取りサイズから一意に決まる非圧縮ファイルのサイズであり、ＪＰＥＧ［Joint Photographic Experts Group］、ＪＰＥＧ２０００、ＭＨ、ＭＭＲ等の圧縮アルゴリズムによる圧縮ファイルのサイズは、解像度および読み取りサイズから一意に予測することはできない。
【０００６】
そこで、本発明は、スキャナでスキャンインした画像データの圧縮ファイルのサイズをユーザに提示することが可能な画像読取装置およびそのサイズ予測方法を提供することを目的とする。
【課題を解決するための手段】
【０００７】
上記目的を達成するため、請求項１の発明は、原稿を読み取って画像データを生成する読取手段と、前記読取手段で読み取った画像データを圧縮アルゴリズムによる圧縮処理を行う圧縮処理手段と、前記圧縮処理手段で行った圧縮アルゴリズムによる圧縮処理に用いられた圧縮パラメータ、および該圧縮アルゴリズムにより圧縮処理された画像データの圧縮ファイルサイズを収集するパラメータ収集手段と、前記パラメータ収集手段で収集した圧縮パラメータおよび圧縮ファイルサイズを蓄積するパラメータ蓄積手段と、前記パラメータ蓄積手段に前記パラメータ収集手段で収集した圧縮パラメータおよび圧縮ファイルサイズが蓄積されるごとに、圧縮パラメータと圧縮ファイルサイズとの統計データを算出するとともに、前記読取手段で読み取る原稿サイズと圧縮処理に用いる圧縮パラメータとが指定された際に、前記統計データに基づいて、前記指定された圧縮パラメータにより圧縮される画像データの圧縮ファイルサイズを予測するサイズ予測手段と、前記サイズ予測手段で予測した圧縮ファイルサイズを表示する表示手段とを具備することを特徴とする。
【０００８】
また、請求項２の発明は、請求項１の発明において、前記圧縮処理手段が複数の圧縮アルゴリズムによる圧縮処理を行う場合、前記パラメータ収集手段は、前記圧縮処理手段で行う前記圧縮アルゴリズム毎に前記圧縮パラメータおよび前記圧縮ファイルサイズを収集して前記パラメータ蓄積手段に蓄積し、前記サイズ予測手段は、前記圧縮アルゴリズム毎に前記統計データを算出し、該圧縮アルゴリズム毎に画像データの圧縮ファイルサイズを予測し、前記表示手段は、前記サイズ予測手段が予測した全ての圧縮ファイルサイズを表示することを特徴とする。
【０００９】
また、請求項３の発明は、請求項２の発明において、前記統計データに基づいて、予め指定された指定サイズに前記画像データの圧縮ファイルサイズが収まるように、前記読取手段で原稿を読み取る際の解像度と前記圧縮処理手段が圧縮処理を行う圧縮アルゴリズムとを決定するサイズ指定手段を更に具備することを特徴とする。
【００１０】
また、請求項４の発明は、請求項２の発明において、ネットワークと接続するネットワーク接続手段と、通信インターフェースと接続する通信インターフェース接続手段と、前記統計データに基づいて、予め指定された前記画像データの転送先に応じた指定サイズに前記画像データの圧縮ファイルサイズが収まるように、前記読取手段で原稿を読み取る際の解像度と前記圧縮処理手段が圧縮処理を行う圧縮アルゴリズムとを決定するサイズ指定手段とを更に具備することを特徴とする。
【００１１】
また、請求項５の発明は、請求項４の発明において、前記サイズ指定手段は、前記画像データを電子メールに添付して前記ネットワークに接続する通信端末に送信する場合、該電子メールに添付可能なサイズを前記指定サイズとすることを特徴とする。
【００１２】
また、請求項６の発明は、請求項４の発明において、前記画像データを前記通信インターフェースを介して接続する記憶メディアの記憶容量の残量を確認する残量確認手段を更に具備し、前記サイズ指定手段は、前記画像データを前記記憶メディアに転送する場合、前記残量確認手段で確認した残量内のサイズを前記指定サイズとすることを特徴とする。
【００１３】
また、請求項７の発明は、読取手段で原稿を読み取って画像データを生成し、前記読取手段で読み取った画像データを圧縮アルゴリズムによる圧縮処理を圧縮処理手段で行い、前記圧縮処理手段で行った圧縮アルゴリズムによる圧縮処理に用いられた圧縮パラメータ、および該圧縮アルゴリズムにより圧縮処理された画像データの圧縮ファイルサイズをパラメータ収集手段で収集し、前記パラメータ収集手段で収集した圧縮パラメータおよび圧縮ファイルサイズをパラメータ蓄積手段に蓄積し、前記パラメータ蓄積手段に前記パラメータ収集手段で収集した圧縮パラメータおよび圧縮ファイルサイズが蓄積されるごとに、圧縮パラメータと圧縮ファイルサイズとの統計データをサイズ予測手段で算出するとともに、前記読取手段で読み取る原稿サイズと圧縮処理に用いる圧縮パラメータとが指定された際に、前記統計データに基づいて、前記指定された圧縮パラメータにより圧縮される画像データの圧縮ファイルサイズを前記サイズ予測手段で予測し、前記サイズ予測手段で予測した圧縮ファイルサイズを表示手段で表示することを特徴とする。
【００１４】
また、請求項８の発明は、請求項７の発明において、前記圧縮処理手段が複数の圧縮アルゴリズムによる圧縮処理を行う場合、前記パラメータ収集手段は、前記圧縮処理手段で行う前記圧縮アルゴリズム毎に前記圧縮パラメータおよび前記圧縮ファイルサイズを収集して前記パラメータ蓄積手段に蓄積し、前記サイズ予測手段は、前記圧縮アルゴリズム毎に前記統計データを算出し、該圧縮アルゴリズム毎に画像データの圧縮ファイルサイズを予測し、前記表示手段は、前記サイズ予測手段が予測した全ての圧縮ファイルサイズを表示することを特徴とする。
【００１５】
また、請求項９の発明は、請求項８の発明において、前記統計データに基づいて、予め指定された指定サイズに前記画像データの圧縮ファイルサイズが収まるように、前記読取手段で原稿を読み取る際の解像度と前記圧縮処理手段が圧縮処理を行う圧縮アルゴリズムとをサイズ指定手段で決定することを特徴とする。
【００１６】
また、請求項１０の発明は、請求項８の発明において、ネットワークとネットワーク接続手段で接続し、通信インターフェースと通信インターフェース接続手段で接続し、前記統計データに基づいて、予め指定された前記画像データの転送先に応じた指定サイズに前記画像データの圧縮ファイルサイズが収まるように、前記読取手段で原稿を読み取る際の解像度と前記圧縮処理手段が圧縮処理を行う圧縮アルゴリズムとをサイズ指定手段で決定することを特徴とする。
【００１７】
また、請求項１１の発明は、請求項１０の発明において、前記サイズ指定手段は、前記画像データを電子メールに添付して前記ネットワークに接続する通信端末に送信する場合、該電子メールに添付可能なサイズを前記指定サイズとすることを特徴とする。
【００１８】
また、請求項１２の発明は、請求項１０の発明において、前記画像データを前記通信インターフェースを介して接続する記憶メディアの記憶容量の残量を残量確認手段で確認し、前記サイズ指定手段は、前記画像データを前記記憶メディアに転送する場合、前記残量確認手段で確認した残量内のサイズを前記指定サイズとすることを特徴とする。
【発明の効果】
【００１９】
本発明によれば、スキャンインを行い実際のスキャン画像を生成する前にファイルサイズを認識できることで、ユーザが画質、サイズ等を勘案して適切なモードでスキャンインすることが可能になるという効果を奏する。
【発明を実施するための最良の形態】
【００２０】
以下、本発明に係る画像読取装置およびそのサイズ予測方法の実施の形態について添付図面を参照して詳細に説明する。
【００２１】
図１は、本発明に係る画像読取装置を利用した画像処理システム１のシステム構成の一例を示す図である。
【００２２】
図１に示すように、画像処理システム１は、本発明に係る画像読取装置であるスキャナ２と、ＰＣ［Personal Computer］３１と、電子メールサーバ４とがネットワーク５を介して接続され、更に、スキャナ２はＰＣ３２およびＵＳＢ［Universal Serial Bus］メモリ等の記憶メディア６（以後、単にメディアと称する）とＵＳＢケーブル７等を介してローカル接続している。
【００２３】
スキャナ２は、原稿を読み取って画像データ（以後、スキャン画像と称する）を生成する処理を行う。
【００２４】
電子メールサーバ４は、ネットワーク５内のユーザの電子メールの送信および受信を行う。なお、画像処理システム１では、スキャナ２が生成したスキャン画像を電子メールに添付して他ネットワークのＰＣ３３に送信することができる。
【００２５】
図２は、図１に示すスキャナ２の機能的な構成の一例を示すブロック図である。
【００２６】
図２に示すように、スキャナ２は、原稿読取部８、画像処理部９、パラメータ収集部１０、パラメータ蓄積部１１、サイズ予測部１２、サイズ指定部１３、コントロールパネル１４、ネットワークＩ／Ｆ［Interface］１５、ローカルＩ／Ｆ１６を具備して構成される。
【００２７】
原稿読取部８は、原稿を読み取ってスキャン画像を生成する処理を行い、ＣＣＤ［Charge Coupled Devices］等の撮像素子と、撮像素子を搭載したキャリッジ若しくは原稿を移動させる電動機等で構成される。
【００２８】
画像処理部９は、原稿読取部８が生成したスキャン画像に対して圧縮アルゴリズムによる圧縮（他には、フィルタ、解像度変換、色変換、２値化等）の画像処理を施すもので、プロセッサをソフトウェアによって動作させることで構成させるか、画像処理用のＩＣ［Integrated Circuit］等で構成される。
【００２９】
パラメータ収集部１０は、画像処理部９で行われた圧縮アルゴリズムによる圧縮処理に用いられたパラメータ（画質モード、圧縮率、出力フォーマット、ビット深度等）と、当該圧縮アルゴリズムにより圧縮処理されたスキャン画像の圧縮ファイルのサイズとを収集し、収集したパラメータおよびサイズをパラメータ蓄積部１１に蓄積する処理を行う。
【００３０】
なお、パラメータ蓄積部１１に標準デフォルト値を蓄積しても良い。この標準デフォルト値を蓄積データの１つとして、統計データの一因としても良いし、標準デフォルト値をそのまま使用しても良い。
【００３１】
サイズ予測部１２は、ユーザから指定された圧縮アルゴリズムに対応するパラメータおよび当該圧縮アルゴリズムにより圧縮処理されたスキャン画像の圧縮ファイルのサイズをパラメータ蓄積部１１から読み出し、読み出したパラメータおよびサイズと、ユーザから指定された解像度および原稿サイズとに基づき、スキャン画像の圧縮ファイルのサイズを予測する処理を行う。また、サイズ予測部１２はパラメータ蓄積部１１にパラメータおよびサイズが蓄積される度に、これらの統計データを求め、当該統計データに基づいてサイズを予測しても良い。
【００３２】
サイズ指定部１３は、ユーザから指定されたサイズに、若しくは、ユーザから指定されたスキャン画像の保存先（例えば、ＰＣ、メディア等）若しくは送信先（若しくは、電子メール送信等）に応じたサイズにスキャン画像の圧縮ファイルが収まるように、パラメータ蓄積部１１に蓄積されているパラメータおよびサイズ（若しくは、上記統計データ）に基づいて解像度および圧縮アルゴリズムを決定する処理を行う。なお、原稿読取部８はサイズ指定部１３で決定した解像度で読み取り行い、画像処理部９はサイズ指定部１３で決定した圧縮アルゴリズムでスキャン画像の圧縮処理を行う。
【００３３】
コントロールパネル１４は、サイズ予測部１２で予測したスキャン画像の圧縮ファイルのサイズの表示を行い、ユーザからのスキャン画像のサイズ、保存先、圧縮アルゴリズムの選択等の指定の受付を行い、例えば、液晶タッチパネル方式を適用しているＵＩ［User Interface］である。
【００３４】
ネットワークＩ／Ｆ１５は、ネットワークとの接続が可能なデータ通信のインターフェースである。スキャナ２は、ネットワークＩ／Ｆ１５を介してネットワーク上のＰＣ３１およびメールサーバ４とデータの送受を行うことができる。
【００３５】
ローカルＩ／Ｆ１６は、ＵＳＢケーブル、ＩＥＥＥ［Institute of Electrical and Electronic Engineer：］１３９４ケーブル、ＲＳ−２３２Ｃケーブル等の有線回線、または無線ＬＡＮ、ＩｒＤＡ［Infrared Data Association］等の無線回線との接続が可能なデータ通信のインターフェースである。スキャナ２は、ローカルＩ／Ｆ１６を介してＵＳＢケーブル等で接続されたＰＣ３２およびメディア６（ただし、ＵＳＢケーブルが不要なＵＳＢメモリ等のメディアもある）とデータの送受を行うことができる。
【００３６】
次に、スキャン画像の圧縮ファイルのサイズを予測する際のスキャナが行う処理の流れについて図３に示すフローチャートを参照して説明する。
【００３７】
ユーザにより「サイズ予測ボタン」が押下（または、サイズ予測ボタンをスタートボタン等で代用しても良い）されると（ステップＳ３０１でＹＥＳ）、サイズ予測部はユーザにより指定された圧縮アルゴリズム、解像度および原稿サイズを受け付け（ステップＳ３０２）、サイズ予測部は指定された圧縮アルゴリズムのパラメータ等をパラメータ蓄積部から読み出し（ステップＳ３０３）、サイズ予測部は解像度、原稿サイズおよびパラメータ等に基づいてスキャン画像の圧縮ファイルのサイズを算出し（ステップＳ３０４）、算出したサイズをコントロールパネルに表示し（ステップＳ３０５）、処理を終了する。
【００３８】
また、画像処理部９が複数の圧縮アルゴリズム（例えば、ＪＰＥＧ、ＪＰＥＧ２０００、ＭＨ、ＭＭＲ等）による圧縮処理を行うことができる場合、サイズ予測部１２は画像処理部９で可能な全ての圧縮アルゴリズムによるスキャン画像の圧縮ファイルのサイズを予測し、予測したサイズをコントロールパネル１４に表示し、それらを確認したユーザが所望の圧縮アルゴリズムを指定することで、画像処理部９は指定された圧縮アルゴリズムでスキャン画像を圧縮処理することができる。
【００３９】
次に、全ての圧縮アルゴリズムのサイズを予測する際のスキャナが行う処理の流れについて図４に示すフローチャートを参照して説明する。
【００４０】
ユーザにより「サイズ予測ボタン」が押下されると（ステップＳ４０１でＹＥＳ）、サイズ予測部はユーザにより指定された解像度および原稿サイズを受け付け（ステップＳ４０２）、サイズ予測部は全ての圧縮アルゴリズムのパラメータ等をパラメータ蓄積部から読み出し（ステップＳ４０３）、サイズ予測部は各圧縮アルゴリズムの解像度、原稿サイズおよびパラメータ等に基づき、圧縮アルゴリズム毎にスキャン画像の圧縮ファイルのサイズを算出し（ステップＳ４０４）、算出した全てのサイズをコントロールパネルに表示する（ステップＳ４０５）。
【００４１】
そして、ユーザにより圧縮処理する圧縮アルゴリズムが指定され（ステップＳ４０６でＹＥＳ）、ユーザにより「スタートボタン」が押下されると（ステップＳ４０７でＹＥＳ）、原稿読取部は原稿を読み取ってスキャン画像を生成し（ステップＳ４０８）、画像処理部は指定の圧縮アルゴリズムでスキャン画像の圧縮処理を行い（ステップＳ４０９）、処理を終了する。
【００４２】
また、ユーザからサイズが指定された場合、サイズ指定部１３はユーザから指定されたサイズにスキャン画像の圧縮ファイルが収まるように、パラメータ蓄積部１１に蓄積されているパラメータおよびサイズに基づいて解像度および圧縮アルゴリズムを決定し、原稿読取部８は当該解像度で原稿を読み取り、画像処理部９は当該圧縮アルゴリズムでスキャン画像を圧縮処理することができる。
【００４３】
次に、サイズ指定が設定された際のスキャナが行う処理の流れについて図５に示すフローチャートを参照して説明する。
【００４４】
ユーザにより「スタートボタン」が押下され（ステップＳ５０１でＹＥＳ）、サイズ指定部はサイズ指定が設定されているか否か確認し（ステップＳ５０２）、サイズ指定が設定されている場合（ステップＳ５０２でＹＥＳ）、ステップＳ５０３に進み、また、サイズ指定が設定されていない場合（ステップＳ５０２でＮＯ）、ステップＳ５０７に進む。
【００４５】
ステップＳ５０２において、サイズ指定が設定されている場合（ステップＳ５０２でＹＥＳ）、サイズ指定部は指定のサイズに収まる解像度および圧縮アルゴリズムを決定し（ステップＳ５０３）、原稿読取部は決定した解像度で原稿を読み取り（ステップＳ５０４）、原稿読取部はスキャン画像を生成し（ステップＳ５０５）、画像処理部は決定した圧縮アルゴリズムでスキャン画像を圧縮処理し（ステップＳ５０６）、処理を終了する。
【００４６】
また、ステップ５０２において、サイズ指定が設定されていない場合（ステップＳ５０２でＮＯ）、デフォルトでのスキャン処理を行い（ステップＳ５０７）、処理を終了する。
【００４７】
また、ユーザからスキャン画像の保存先若しくは送信先が指定された場合、サイズ指定部１３はユーザから指定されたスキャン画像の保存先若しくは送信先に応じたサイズにスキャン画像の圧縮ファイルが収まるように、パラメータ蓄積部１１に蓄積されているパラメータおよびサイズに基づいて解像度および圧縮アルゴリズムを決定し、原稿読取部８は当該解像度で原稿を読み取り、画像処理部９は当該圧縮アルゴリズムでスキャン画像を圧縮処理し、スキャン画像の圧縮ファイルを当該保存先に保存し、若しくは当該送信先に送信することができる。
【００４８】
次に、保存先対応サイズ指定が設定された際のスキャナが行う処理の流れについて図６に示すフローチャートを参照して説明する。
【００４９】
ユーザにより「スタートボタン」が押下され（ステップＳ６０１でＹＥＳ）、サイズ指定部は保存先対応サイズ指定が設定されているか否か確認し（ステップＳ６０２）、保存先対応サイズ指定が設定されていない場合（ステップＳ６０２でＮＯ）、ステップＳ６０３に進み、また、保存先対応サイズ指定が設定されている場合（ステップＳ６０２でＮＯ）、ステップＳ６０４に進む。
【００５０】
ステップＳ６０２において、保存先対応サイズ指定が設定されていない場合（ステップＳ６０２でＮＯ）、デフォルトでのスキャン処理を行い（ステップＳ６０３）、処理を終了する。
【００５１】
また、ステップＳ６０２において、保存先対応サイズ指定が設定されている場合（ステップＳ６０２でＹＥＳ）、保存先若しくは送信先が何処なのか確認する（ステップＳ６０４〜ステップＳ６０６）。
【００５２】
スキャン画像を保存する場合（ステップＳ６０４でＹＥＳ）、ＰＣに転送する際のファイルのサイズの制限、ＰＣの記憶容量の制限は殆どないことから、デフォルトでのスキャン処理を行い（ステップＳ６０３）、処理を終了する。
【００５３】
スキャン画像を電子メールで送信する場合（ステップＳ６０５でＹＥＳ）、図７に示すフローチャートの「Ａ」に進む。
【００５４】
スキャン画像をメディアに保存する場合（ステップＳ６０６でＹＥＳ）、図８に示すフローチャートの「Ｂ」に進む。
【００５５】
次に、図６に示すフローチャートにおいてスキャン画像を電子メールで送信する際のスキャナが行う処理の流れについて図７に示すフローチャートを参照して説明する。
【００５６】
サイズ指定部は電子メールに添付可能なサイズに収まる解像度および圧縮アルゴリズムを決定し（ステップＳ７０１）、原稿読取部は決定した解像度で原稿を読み取り（ステップＳ７０２）、原稿読取部はスキャン画像を生成し（ステップＳ７０３）、画像処理部は決定した圧縮アルゴリズムでスキャン画像を圧縮処理し（ステップＳ７０４）、スキャン画像の圧縮ファイルを添付した電子メールを送信先に送信し（ステップＳ７０５）、処理を終了する。
【００５７】
なお、電子メールに添付するのに適したサイズに圧縮することができない場合は、コントロールパネルにその旨を表示するようにしても良い。
【００５８】
次に、図８に示すフローチャートにおいてスキャン画像をメディアに保存する際のスキャナが行う処理の流れについて図８に示すフローチャートを参照して説明する。
【００５９】
ローカルＩ／Ｆを介してメディアの容量を確認し（ステップＳ８０１）、サイズ指定部はメディアの容量に保存可能なサイズに収まる解像度および圧縮アルゴリズムを決定し（ステップＳ８０２）、原稿読取部は決定した解像度で原稿を読み取り（ステップＳ８０３）、原稿読取部はスキャン画像を生成し（ステップＳ８０４）、画像処理部は決定した圧縮アルゴリズムでスキャン画像を圧縮処理し（ステップＳ８０５）、スキャン画像の圧縮ファイルをメディアに保存し（ステップＳ８０６）、処理を終了する。
【００６０】
なお、メディアの容量に収まるサイズに圧縮することができない場合は、コントロールパネルにその旨を表示するようにしても良い。
【図面の簡単な説明】
【００６１】
【図１】本発明に係る画像読取装置を利用した画像処理システムのシステム構成の一例を示す図である。
【図２】図１に示すスキャナの機能的な構成の一例を示すブロック図である。
【図３】スキャン画像の圧縮ファイルのサイズを予測する際のスキャナが行う処理の流れを示すフローチャートである。
【図４】全ての圧縮アルゴリズムのサイズを予測する際のスキャナが行う処理を示すフローチャートである。
【図５】サイズ指定が設定された際のスキャナが行う処理の流を示すフローチャートである。
【図６】保存先対応サイズ指定が設定された際のスキャナが行う処理の流れを示すフローチャートである。
【図７】図６に示すフローチャートにおいてスキャン画像を電子メールで送信する際のスキャナが行う処理の流れを示すフローチャートである。
【図８】図６に示すフローチャートにおいてスキャン画像をメディアに保存する際のスキャナが行う処理の流れを示すフローチャートである。
【符号の説明】
【００６２】
１    画像処理システム
２    スキャナ
３１、３２、３３    ＰＣ
４    電子メールサーバ
５    ネットワーク
６    メディア
７    ＵＳＢケーブル
８    原稿読取部
９    画像処理部
１０    パラメータ収集部
１１    パラメータ蓄積部
１２    サイズ予測部
１３    サイズ指定部
１４    コントロールパネル
１５    ネットワークＩ／Ｆ
１６    ローカルＩ／Ｆ
【図１】
0004670559.tif 000002
【図２】
0004670559.tif 000003
【図３】
0004670559.tif 000004
【図４】
0004670559.tif 000005
【図５】
0004670559.tif 000006
【図６】
0004670559.tif 000007
【図７】
0004670559.tif 000008
【図８】
0004670559.tif 000009